【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
ベッドに関連付けられる様々な作業を容易にするためにマットレスを持ち上げるためのマットレス管理システムであって、
前記システムは、
１つまたは複数の箇所において２つの材料層を一緒に取り付けるための１つまたは複数の取り付け点を有する、一緒に取り付けられる前記２つの材料層から形成される膨脹可能空気ボリュームと、
前記膨脹可能ボリュームと流体連通している吸気ノズルと、
前記吸気ノズルと流体連通するように構成されている空気ポンプと
を備え、
前記空気ポンプは、前記マットレスが持ち上げられている間に、前記膨脹可能ボリュームに対して連続した空気の供給を与え、
前記膨脹可能空気ボリュームは、前記マットレスが土台に対して持ち上げられている間に、空気の制御された放出を可能にするように形成される、マットレス管理システム。
【請求項２】
マットレス、土台を含むベッドのためのマットレス管理方法であって、
前記方法は、
膨脹可能空気ボリュームをマットレスと土台との間に固定するステップと、
前記マットレスを操作しながら前記膨脹可能ボリュームに空気を連続して供給するステップと
を含む、マットレス管理方法。
【請求項３】
ベッドに関連付けられる様々な作業を容易にするためのマットレス管理システムであって、
前記システムは、
１つまたは複数の箇所において２つの材料層を一緒に取り付けるための１つまたは複数の取り付け点を有し、膨脹可能ボリュームを形成し、給気口を含む、一緒に取り付けられる前記２つの材料層から形成される膨脹可能空気ボリュームであって、前記膨脹可能空気ボリュームは、マットレスと土台との間に配置され、前記膨脹可能空気ボリュームは、１つまたは複数の箇所において前記２つの材料層を一緒に取り付けるための１つまたは複数の取り付け点をさらに含む、膨脹可能空気ボリュームと、
前記吸気口と流体連通するように構成されている空気ポンプであって、前記膨脹可能空気ボリュームは、前記マットレスを前記土台に対して持ち上げている間に、前記空気ポンプによって空気が前記膨脹可能空気ボリュームに連続的に圧送されているときに、空気の制御された放出が前記膨脹可能空気ボリュームから放出されることを可能にするように形成される、空気ポンプと
を備える、マットレス管理システム。
【請求項４】
マットレスの操作に関連付けられる作業を容易にするためのマットレス管理システムであって、
前記システムは、
マットレスと土台との間に配置されるように構成されている浮揚デバイスを備え、
前記浮揚デバイスは、１つまたは複数の箇所において２つの材料層を一緒に取り付けるための１つまたは複数の取り付け点を有する前記２つの材料層から形成される膨脹可能空気ボリュームと、外部ポンプに接続されるように構成されている給気口とを含み、
前記膨脹可能空気ボリュームは、少なくとも１つの空気出口孔を含み、
前記浮揚デバイスは、前記マットレスが前記土台に対して持ち上げられている間に、空気が前記膨脹可能空気ボリュームに連続的に圧送されているときに、前記膨脹可能空気ボリュームからの空気の制御された放出を可能にするように構成されている、マットレス管理システム。
【請求項５】
前記マットレス管理システムは、滑らかな側および滑らかでない側を有する第１のカバーをさらに含み、
前記カバーは、前記浮揚デバイスと一体的に形成され、
前記カバーは、前記マットレスにまたは代替的に前記土台に選択的に固定されるように構成されている、請求項４に記載のマットレス管理システム。
【請求項６】
前記カバーは、前記浮揚デバイスと協働して、前記土台に対する前記マットレスの能動操作および受動操作を容易にし、前記膨脹可能空気ボリュームが膨張する能動マットレス操作モード、および、前記膨脹可能空気ボリュームが膨張しない受動マットレス操作モードが規定される、請求項５に記載のマットレス管理システム。
【請求項７】
前記能動マットレス操作は、１枚もしくは複数枚のシーツを間に挟み込むこと、または、前記マットレスと前記土台との間に毛布を挟み込むことを容易にするために、前マットレスが前記土台から浮揚される、能動マットレス操作モードにおけるベッドメイキングを可能にする、請求項６に記載のマットレス管理システム。
【請求項８】
前記受動マットレス操作モードにおける前記マットレス操作は、以下の操作作業、すなわち、
前記土台に対して前記マットレスを設置、除去、再設置、またはスライドすること、
前記土台に対して前記マットレスを回転すること、
前記マットレスが操作されている間にベッドスカートを前記土台よりも上の場所に保持すること
のうちの１つまたは複数を含む、請求項６に記載のマットレス管理システム。
【請求項９】
前記浮揚デバイスは、前記マットレスまたは前記土台の一部分として一体的に形成される、請求項４に記載のマットレス管理システム。
【請求項１０】
第１の浮揚デバイスは、封入材の一部分として一体的に形成される、請求項４に記載のマットレス管理システム。
【請求項１１】
マットレスと土台との間に１枚または複数枚のベッドシーツまたは毛布を挟み込むことを容易にするためのデバイスであって、
前記デバイスは、マットレスと土台との間に配置されるように構成されている浮揚デバイスを備え、
前記浮揚デバイスは、前記マットレスまたは前記土台に選択的に固定されるように構成されており、１つまたは複数の箇所において一緒に取り付けられる２つの材料層から形成される膨脹可能空気ボリュームと、外部空気供給源から加圧空気を選択的かつ連続的に受け入れるための給気ノズルとを含み、前記マットレスと前記土台との間に１枚または複数枚のベッドシーツまたは毛布を挟み込むことを容易にするために、前記土台に対して前記マットレスを浮揚させるために前記膨脹可能空気ボリュームを拡張する、デバイス。
【請求項１２】
マットレスを操作するための方法であって、
（ａ１）マットレスと土台との間に浮揚デバイスを配置するステップと、
（ｂ）前記マットレスまたは前記土台に前記浮揚デバイスを選択的に固定するステップと、
（ｃ）前記マットレスを前記土台から浮揚させるために、前記浮揚デバイスに連続的に空気を供給するステップと、
（ｄ）能動モードにおいて前記浮揚デバイスが浮揚されている間に前記マットレスを操作するステップと
を含む、方法。
【請求項１３】
（ａ２）前記浮揚デバイスと前記マットレスまたは前記土台との間に、滑らかな表面を有するカバーを配置するステップであって、前記カバーは、前記マットレスまたは代替的に前記土台に選択的に固定されるように構成されている、配置するステップと、
（ａ３）前記浮揚デバイスが膨張する能動モード、または代替的に、前記浮揚デバイスが膨張しない受動モードにおいて前記マットレスが操作可能であるように、前記カバーを構成するステップと
を含む、ステップ（ａ２）およびステップ（ａ３）をさらに含む、請求項１２に記載の方法。
【請求項１４】
前記操作するステップは、能動モードにおいて前記マットレスと前記土台との間に１枚または複数枚のシーツまたは毛布を挟み込むことを含む、請求項１３に記載の方法。
【請求項１５】
前記カバーは、受動モードにおいて前記土台に対して前記マットレスを回転することを可能にするように構成されている、請求項１３に記載の方法。
【請求項１６】
前記カバーは、前記土台に対して前記マットレスを回転している間に、前記土台の上に配置されているベッドスカートを押し下げるように構成されている、請求項１３に記載の方法。